(57)【特許請求の範囲】
【請求項１】
ヒンジ軸を有するコンクリート躯体側のヒンジ部材とヒンジ軸受を有する扉側のヒンジ部材とを備えて，上記ヒンジとヒンジ軸受を相互に嵌合して回転自在とすることによってコンクリート躯体側に対して扉を開閉自在に固定するヒンジ金物であって，上記コンクリート躯体側のヒンジ部材を，ブロック状のボディ本体と該ボディ本体の一側に突出した太軸にして雌ねじ穴を具備したねじ棒受とを備えて平面及び側面をＴ字状に一体成形し且つ上記ボディ本体にその内外方向に長溝として上向きに開口したヒンジ軸受入孔とその底壁に該ヒンジ軸受入孔に貫通しこれと相似形をなす長孔を備えるとともに上記ねじ棒受の雌ネジ穴に雄ねじを螺装し水平方向に突出してコンクリート躯体埋込設置のアンカ−螺装用としたねじ棒を有するボデイと，下方のヒンジ軸受入孔挿入部分にヒンジ軸受入孔の長手方向に膨出し幅方向にフラット面をなす袴部を設置しボディ本体の上記ヒンジ軸受入孔に上記挿入部分をスライド可能にしてつれ回り防止可能に挿入自在とし且つ下面にねじ穴を有するヒンジ軸と，ボデイ本体の下面側から上記ヒンジ軸受入孔に貫通する長孔を介してヒンジ軸のねじ穴に螺装して該ヒンジ軸をボデイのボディ本体に起立固定する頭付きの固定ねじと，上記アンカーに螺装するねじ棒の突出長さに応じて締着し上記水平方向に突出したねじ棒の廻り止めを行なうように該ねじ棒に長手方向移動自在に螺装する締着ナットとを備え，上記コンクリート躯体埋込設置のアンカ−に対して突出長さを定めて螺装するねじ棒を上記締着ナットにより固定することによってボデイを間口方向に向けて調整自在とし且つヒンジ軸を上記ヒンジ軸受入孔の範囲で内外方向に向けて調整自在とすることによって２方向調整自在としてなることを特徴とするコンクリート躯体直付け用のヒンジ金物。
【請求項２】
上記扉側のヒンジ部材が，扉に上下方向調整自在に固定可能であることによって，上下方向を含めた３方向調整自在としてなることを特徴とする請求項１に記載のコンクリート躯体直付け用のヒンジ金物。
【発明の詳細な説明】
【０００１】
【発明の属する技術分野】
本発明は，コンクリート躯体に門扉，ドア等の扉を開閉自在に吊り固定するに用いるコンクリート躯体直付け用のヒンジ金物に関する。
【０００２】
【従来の技術】
例えばビルの入口に門扉を設置したり，住戸の独立性を高めるように，マンションの各住戸入口に戸建て住宅と同様に門扉を設置したりするように，垂直なフラット面をなすコンクリート壁面，コンクリート柱面等コンクリート躯体に門扉を吊り固定するケースも多いが，この場合，扉の吊り固定は，支柱付きの門扉を使用し，コンクリート躯体の間口内側にその支柱を立設し，該支柱と扉間にヒンジ金物を介設することによって行なうのが一般であり，このとき支柱側のヒンジ部材は，例えば間口方向の長孔を形成したものとし，これを上記立設した支柱の背面に対して長孔を介してネジ止めすることによって，該長孔の範囲で間口方向の調整を自在とし，例えば内外方向の長孔を形成したものとして，これを支柱の側面に対して同じく長孔を介してネジ止めすることによって，同様に内外方向の調整を自在とし，一方扉側のヒンジ部材は，例えばこれを扉に対して上下方向スライド自在にネジ止めすることによって，その上下方向の調整を自在とするものとされる。ヒンジ金物は，内外方向，間口方向，上下方向の３方向の調整を行なえるようにすることが好ましいが，一般には支柱側のヒンジ部材を上記間口方向，内外方向のいずれか一方の１方向調整自在の形態とし，扉側のヒンジ部材の上下方向の調整と合わせて，ヒンジ金物を２方向調整自在の形態のものとして構成することが多い。
【０００３】
【発明が解決しようとする課題】
しかし乍らこの場合，コンクリート躯体の間口内に支柱を立設することによって，間口が上記立設した支柱の太さ分狭くなって，充分な開口を得られなくなってしまうという問題点が残されており，一方，上記ヒンジ金物をコンクリート躯体に直付けできるようにコンクリート躯体直付け用のものとして構成しようとしても，垂直なフラット面をなす該コンクリート躯体には，上記支柱の背面に相当する，間口方向に突出するような部分がないから，上記支柱側のヒンジ部材をコンクリート躯体直付け用としても，これに対して固定する方法がなく，従って上記内外方向の調整を自在とするように構成することはできても，間口方向の調整を行なうものとして構成することは不可能である。
【０００４】
本発明はかかる事情に鑑みてなされたもので，その解決課題とするところは，第１に，コンクリート躯体に扉を吊り固定するについて，可及的に簡易な構造にしてコンクリート躯体に対して内外方向と間口方向の２方向の調整を自在とするコンクリート躯体側のヒンジ部材を有するコンクリート直付け用のヒンジ金物を提供するにあり，第２に，扉側のヒンジ部材における上下方向の調整を加えて３方向の調整を自在とするコンクリート躯体直付け用のヒンジ金物を提供するにある。
【０００５】
【課題を解決するための手段】
上記第１の課題に添って請求項１に記載の発明を，ヒンジ軸を有するコンクリート躯体側のヒンジ部材とヒンジ軸受を有する扉側のヒンジ部材とを備えて，上記ヒンジとヒンジ軸受を相互に嵌合して回転自在とすることによってコンクリート躯体側に対して扉を開閉自在に固定するヒンジ金物であって，上記コンクリート躯体側のヒンジ部材を，ブロック状のボディ本体と該ボディ本体の一側に突出した太軸にして雌ねじ穴を具備したねじ棒受とを備えて平面及び側面をＴ字状に一体成形し且つ上記ボディ本体にその内外方向に長溝として上向きに開口したヒンジ軸受入孔とその底壁に該ヒンジ軸受入孔に貫通しこれと相似形をなす長孔を備えるとともに上記ねじ棒受の雌ネジ穴に雄ねじを螺装し水平方向に突出してコンクリート躯体埋込設置のアンカ−螺装用としたねじ棒を有するボデイと，下方のヒンジ軸受入孔挿入部分にヒンジ軸受入孔の長手方向に膨出し幅方向にフラット面をなす袴部を設置しボディ本体の上記ヒンジ軸受入孔に上記挿入部分をスライド可能にしてつれ回り防止可能に挿入自在とし且つ下面にねじ穴を有するヒンジ軸と，ボデイ本体の下面側から上記ヒンジ軸受入孔に貫通する長孔を介してヒンジ軸のねじ穴に螺装して該ヒンジ軸をボデイのボディ本体に起立固定する頭付きの固定ねじと，上記アンカーに螺装するねじ棒の突出長さに応じて締着し上記水平方向に突出したねじ棒の廻り止めを行なうように該ねじ棒に長手方向移動自在に螺装する締着ナットとを備え，上記コンクリート躯体埋込設置のアンカ−に対して突出長さを定めて螺装するねじ棒を上記締着ナットにより固定することによってボデイを間口方向に向けて調整自在とし且つヒンジ軸を上記ヒンジ軸受入孔の範囲で内外方向に向けて調整自在とすることによって２方向調整自在としてなることを特徴とするコンクリート躯体直付け用のヒンジ金物としたものである。
【０００６】
請求項２に記載の発明は，上記第２の課題にそって，これを，上記扉側のヒンジ部材が，扉に上下方向調整自在に固定可能であることによって，上下方向を含めた３方向調整自在としてなることを特徴とする請求項１に記載のコンクリート躯体直付け用のヒンジ金物としたものである。
【０００７】
本発明は，これらをそれぞれ発明の要旨として上記課題解決の手段としたものである。
【０００８】
【発明の実施の形態】
以下マンションにおける住戸入口の対向するコンクリート壁面間の間口に門扉を設置する場合の例を示す図面に従って更に具体的に本発明を説明すれば，Ａはコンクリート躯体Ｂ直付け用のヒンジ金物，Ｃは門扉であり，該ヒンジ金物Ａは，ヒンジ軸９を有するコンクリート躯体側のヒンジ部材１とヒンジ軸受１７を有する扉側のヒンジ部材１６とを備えて，上記ヒンジ軸９とヒンジ軸受１７を相互に嵌合して回転自在とすることによってコンクリート躯体Ｂに対して扉Ｃを開閉自在に固定するものとしてあり，このとき上記コンクリート躯体側のヒンジ部材１は，これを，ブロック状のボディ本体３と該ボディ本体３の一側に突出した太軸にして雌ねじ穴を具備したねじ棒受４とを備えて平面及び側面をＴ字状に一体成形し且つ上記ボディ本体３にその内外方向に長溝として上向きに開口したヒンジ軸受入孔５とその底壁に該ヒンジ軸受入孔５に貫通しこれと相似形をなす長孔６を備えるとともに上記ねじ棒受４の雌ネジ穴に雄ねじを螺装し水平方向に突出してコンクリート躯体Ｂ埋込設置のアンカ−２１螺装用としたねじ棒８を有するボデイ２と，下方のヒンジ軸受入孔挿入部分にヒンジ軸受入孔５の長手方向に膨出し幅方向にフラット面をなす袴部１０を設置しボディ本体３の上記ヒンジ軸受入孔５に上記挿入部分をスライド可能にしてつれ回り防止可能に挿入自在とし且つ下面にねじ穴１１を有するヒンジ軸９と，ボデイ本体３の下面側から上記ヒンジ軸受入孔５に貫通する長孔６を介してヒンジ軸９のねじ穴１１に螺装して該ヒンジ軸９をボデイのボディ本体３に起立固定する頭付きの固定ねじ１２と，上記アンカー２１に螺装するねじ棒８の突出長さに応じて締着し上記水平方向に突出したねじ棒８の廻り止めを行なうように該ねじ棒８に長手方向移動自在に螺装する締着ナット１４とを備え，上記コンクリート躯体Ｂ埋込設置のアンカ−２１に対して突出長さを定めて螺装するねじ棒８を上記締着ナット１４により固定することによってボデイ２を間口方向に向けて調整自在とし且つヒンジ軸９を上記ヒンジ軸受入孔５の範囲で内外方向に向けて調整自在とすることによって２方向調整自在としたものとしてあり，本例にあって該ヒンジ金物Ａは，上記扉側のヒンジ部材１６が，扉Ｃに上下方向調整自在に固定可能であることによって，上下方向を含めた３方向の調整を自在としてある。
【０００９】
本例にあってコンクリート躯体側のヒンジ部材１におけるボデイ２は，例えばブロック状のボデイ本体３と該ボデイ本体３の一側に突出した太軸にして雌ねじ穴を具備したねじ棒受４とを備えて平面及び側面をＴ字状とした，例えばアルミ鋳物等金属の一体成形品によるものとしてある。
【００１０】
該ボデイ２のボデイ本体３に設置したヒンジ軸受入孔５は，その幅をヒンジ軸９の径を基準とし，これよりやや太幅とし，所定長さ，特に内外方向の調整長さに応じた長さを有して，長手方向両端をヒンジ軸９を受け止め可能に湾曲形状とし，例えばボデイ２高さの約１／３程度の深さとする如くに，内外方向に向けた上向き開口にして比較的深い長溝によるものとしてある。
【００１１】
該ヒンジ軸受入孔５に貫通する長孔６は，ボデイのボデイ本体３の下面側から該長溝であるヒンジ軸受入孔５に貫通し，該ヒンジ軸受入孔５と相似形をなすように，その幅を固定ねじ１２の軸径を基準としてこれよりやや太幅とし，長手方向両端を固定ねじ１２の１／２円弧に合わせてこれを受け止め可能に湾曲形状とした，同じく内外方向に向けたものとしてある。
【００１２】
７はねじ受入部であり，該ねじ受入部７は，ボデイ２におけるボデイ本体３の底部を刳貫き形成し，上記ヒンジ軸受入孔５の底壁を画するように上記長孔６よりも幅太のものとしてあり，このとき該幅を固定ねじ１２のねじ頭の径を基準としてこれよりやや太幅とし，長さを長孔６よりねじ頭の１／２円弧分づつ長手方向両端に長くすることによって固定ねじ１２のねじ頭を受入可能としたものとしてある。
【００１３】
ねじ棒８は，所定長さ，特に間口方向の調整長さに応じた長さを有して，その全長に雄ねじを刻設したねじ杆によるものとして，例えば上記ねじ棒受４に形成した雌ねじ穴に螺装して，ボデイ２に一体に固定したものとしてある。
【００１４】
ヒンジ軸９は，上端を先細にし，上記ヒンジ軸受入孔５に挿入自在の，例えば中実の円柱形の太軸棒によるものとし，その下面に上向きの雌ねじのよるねじ穴１１を穿設したものとしてあり，該ヒンジ軸９は，上記ヒンジ軸受入孔５に挿入した際，ヒンジ軸受入孔５にスライド可能にすると回転を防止可能とするように，その下方のヒンジ軸受入孔５への挿入部分に，ヒンジ軸受入孔５の長手方向に膨出し，幅方向にフラット面をなす回転防止用の袴部１０を設置したものとしてあり，これによって本例のヒンジ軸９は，固定ねじ１２のねじ穴１１への螺装に際してそのつれ回りを防止し，ヒンジ軸９の起立固定を容易にし且つ内外方向の位置を正確に確保し得るようにしてある。
【００１５】
頭付きの固定ねじ１２は，上記ボデイ２におけるボディ本体３の上記ねじ受入部７にねじ頭を受け入れた状態で，ボデイ２の底面，即ち本例にあってはヒンジ軸受入孔５の底壁から上記ヒンジ軸９のねじ穴１１に螺装して該ヒンジ軸９をボデイ２に起立固定しうるように，ねじ頭にドライバ−やレンチ等の工具受部１３，本例では例えば６角穴によるレンチ受部を設けたものとしてある。
【００１６】
締着ナット１４は，例えば円形リング状にしてねじ棒８に合わせた雌ねじを刻設して，ねじ棒８の先端から螺装してボデイ２のねじ棒受４までの間でねじ棒８を長手方向移動自在のものとし，上記アンカ−２１に対して螺装するねじ棒８をその突出長さに応じて締着し，その廻り止めを行なってこれを固定するものとしてあり，本例にあって締着ナット１４は，そのねじ棒８側に６角筒状のカバ−部１５を一体に備えて，該カバ−部１５を締着に際してナット手回し部を兼ねるようにするとともに上記ボデイ２のねじ棒受４をスライド自在に被嵌可能にして，ねじ棒８とその突出長さに応じてそのねじ棒受４との間を被覆するようにしてある。
【００１７】
即ちコンクリート躯体Ｂ側のヒンジ部材１は，例えばボデイ２のヒンジ軸受入孔５にヒンジ軸９を挿入して固定ねじ１２で仮止めした状態とし，ボデイ２を手回しして回転することによって，垂直なフラット面をなすコンクリート躯体Ｂの門扉設置位置に埋込設置したプラグアンカ−，フィッシャ−アンカ−等のアンカ−２１に対してそのねじ棒８を螺装するとともに必要に応じて該ボデイ２を適宜方向に回転し，そのアンカ−２１からの突出長さ，即ちコンクリート躯体Ｂからのねじ棒８の突出長さを，ボデイ２のヒンジ軸９が上向きに直立する状態とするように定め，次いでねじ棒８に螺装した締着ナット１４をアンカ−２１側に回転移動し締着することによって，ねじ棒８の突出長さを固定し，ボデイ２の間口方向に向けた調整を自在とするようにしてあり，またその後に上記仮止めした固定ねじ１２を緩めてヒンジ軸９を，ヒンジ軸受入孔５の長さの範囲で内外方向にスライドするとともに必要に応じてこれを繰り返して，その起立固定位置を定め，次いで固定ねじ１２を本締めすることによって，ヒンジ軸９を起立固定するとともにその内外方向の調整を自在とするようにしてある。
【００１８】
本例にあって扉側のヒンジ部材１６は，例えば上記ヒンジ軸９に合わせたヒンジ軸受１７を備えて，扉Ｃの吊り元框に形成したＣ字状のスライド溝２２にスライド自在に嵌合した裏板１９に対してねじ２０止めし，スライド溝２２を画する対向するフランジを挟着することによって，扉Ｃに上下方向調整自在に固定可能としたものとしてあり，該扉側のヒンジ部材１６は，これを扉Ｃに予め設置した上，コンクリート躯体Ｂに設置した上記コンクリート躯体側のヒンジ部材１に，ヒンジ軸受１７をその起立固定したヒンジ軸９に対して差し込み嵌合することによって，上記ヒンジ金物Ａを構成し，本例にあって扉Ｃを上記３方向調整自在に吊り固定するものとしてある。
【００１９】
図中１８は扉側のヒンジ部材１６におけるヒンジ軸受１７の穴塞ぎ用キャップである。
【００２０】
図示した例は以上のとおりとしたが，扉側のヒンジ部材を上下方向調整自在のものとするとき，従前の門扉等における上下方向調整手段を適宜に使用すること，コンクリート躯体をコンクリート柱面とすること，上記門扉に代えて，ヒンジ金物をドアの吊り固定に使用するようにすること等を含めて，本発明の実施に当っては，コンクリート躯体側のヒンジ部材，ボデイ，ヒンジ軸，扉側のヒンジ部材，扉，必要に応じて用いる扉側のヒンジ部材の上下調整手段等の各具体的材質，形状，構造，寸法，数，これらの関係，これらに対する付加，コンクリート躯体側のヒンジ部材の設置手順等は，上記各発明の要旨に反しない限り適宜に変更することによって，様々の形態のものとすることができる。
【００２１】
【発明の効果】
本発明は以上のとおりに構成したので，請求項１に記載の発明は，コンクリート躯体に扉を吊り固定するについて，可及的に簡易な構造にしてコンクリート躯体に対して内外方向と間口方向の２方向の調整を自在とするコンクリート躯体側のヒンジ部材を有するコンクリート直付け用のヒンジ金物を提供することができる。
【００２２】
請求項２に記載の発明は，扉側のヒンジ部材における上下方向の調整を加えて３方向の調整を自在とするものとすることができる。
【図面の簡単な説明】
【図１】  コンクリート躯体と門扉の関係を示す縦断面図である。
【図２】  コンクリート躯体と門扉の関係を示す横断面図である。
【図３】  コンクリート躯体側のヒンジ部材の分解斜視図である。
【図４】  コンクリート躯体側のヒンジ部材の取付け状態を示す平面図である。
【図５】  コンクリート躯体側のヒンジ部材の縦断面図である。
【図６】  扉側のヒンジ部材の分解斜視図である。
【図７】  ヒンジ金物と扉との関係を示す平面図である。
【符号の説明】
Ａ  ヒンジ金物
Ｂ  コンクリート躯体
Ｃ  扉
１  コンクリート躯体側のヒンジ部材
２  ボデイ
３  ボディ本体
５  ヒンジ軸受入孔
６  長孔
７  ねじ受入部
８  ねじ棒
９  ヒンジ軸
１０  袴部
１１  ねじ穴
１２  固定ねじ
１４  締着ナット
１６  扉側のヒンジ部材
１７  ヒンジ軸受
【図１】
0003701806.tif 000002
【図２】
0003701806.tif 000003
【図３】
0003701806.tif 000004
【図４】
0003701806.tif 000005
【図５】
0003701806.tif 000006
【図６】
0003701806.tif 000007
【図７】
0003701806.tif 000008